(57)【特許請求の範囲】
【請求項１】
固定電気接触子と、
可動電気接触子と、
前記可動電気接触子を前記固定電気接触子に対して接触するか若しくは離間するように駆動するために、前記可動電気接触子に取り付けられる作動部材と、
前記可動電気接触子と前記作動部材との間の減衰インターフェイスと、
を備えており、
前記減衰インターフェイスが環状であり、
前記減衰インターフェイスが、前記作動部材が通る前記可動電気接触子の開口の内側の周溝に配置されるＯリングを備えることを特徴とする電磁スイッチ。
【請求項２】
固定電気接触子と、
可動電気接触子と、
前記可動電気接触子を前記固定電気接触子に対して接触するか若しくは離間するように駆動するために、前記可動電気接触子に取り付けられる作動部材と、
前記可動電気接触子と前記作動部材との間の減衰インターフェイスと、
を備えており、
前記減衰インターフェイスが、前記作動部材に面するＫ型の断面形状を有することを特徴とする電磁スイッチ。
【請求項３】
固定電気接触子と、
可動電気接触子と、
前記可動電気接触子を前記固定電気接触子に対して接触するか若しくは離間するように駆動するために、前記可動電気接触子に取り付けられる作動部材と、
前記可動電気接触子と前記作動部材との間の減衰インターフェイスと、
を備えており、
前記減衰インターフェイスが、前記作動部材に面する山型の形状を有することを特徴とする電磁スイッチ。
【請求項４】
固定電気接触子と、
可動電気接触子と、
前記可動電気接触子を前記固定電気接触子に対して接触するか若しくは離間するように駆動するために、前記可動電気接触子に取り付けられる作動部材と、
前記可動電気接触子と前記作動部材との間の減衰インターフェイスと、
を備えており、
前記減衰インターフェイスが湾曲した振動板を備えることを特徴とする電磁スイッチ。
【請求項５】
前記湾曲した振動板はゴム座金を備えていることを特徴としており、且つ前記ゴム座金の外周は、前記作動部材が通過する前記可動電気接触子の開口の内側の前記可動電気接触子に取り付けられており、且つ前記ゴム座金の内周が前記作動部材に取り付けられることを特徴とする請求項４に記載の電磁スイッチ。
【請求項６】
前記可動電気接触子に取り付けられる摩擦ダンパーをさらに備えており、前記摩擦ダンパーは前記可動電気接触子と前記電磁スイッチの側壁との間に配置されることを特徴とする請求項１から５のいずれか１項に記載の電磁スイッチ。
【請求項７】
前記摩擦ダンパーが、前記可動電気接触子が座する金属部材によって位置づけられることを特徴とする請求項６に記載の電磁スイッチ。
【請求項８】
前記摩擦ダンパーが、前記可動電気接触子に対してバイアスをかける第一部材と、前記側壁に対してバイアスをかける第二部材と、を備えていることを特徴とする請求項６に記載の電磁スイッチ。
【請求項９】
前記第一部材と第二部材とが本質的に平行であり、前記可動電気接触子が駆動される方向に向けられることを特徴とする請求項８に記載の電磁スイッチ。
【請求項１０】
前記第一部材が前記可動電気接触子に取り付けられ、前記第二部材が前記第一部材から前記側壁に向かって延びていることを特徴とする請求項９に記載の電磁スイッチ。
【請求項１１】
前記第一部材および第二部材は、前記可動電気接触子が駆動される方向に対して本質的に逆平行でかつ垂直であることを特徴とする請求項８に記載の電磁スイッチ。
【請求項１２】
前記摩擦ダンパーの一端が前記可動電気接触子に取り付けられており、他端が前記側壁に対してバイアスをかけることを特徴とする請求項６に記載の電磁スイッチ。
【請求項１３】
固定電気接触子を電磁スイッチに設ける工程と、
前記固定電気接触子に接触するか若しくは離間するように可動電気接触子を駆動するために、前記可動電気接触子を作動部材に取り付ける工程と、
前記可動電気接触子と前記作動部材との間に減衰インターフェイスを設ける工程と、
を備えていることを特徴とする方法。
【請求項１４】
前記作動部材が通る前記可動電気接触子の開口の内側に周溝を設ける工程をさらに備えており、前記減衰インターフェイスが前記周溝に配置されるＯリングを備えていることを特徴とする請求項１３に記載の方法。
【請求項１５】
前記減衰インターフェイスがゴム座金を備えていることを特徴とし、前記方法はさらに、前記ゴム座金の外周を、前記作動部材が通る前記可動電気接触子の開口の内側の前記可動電気接触子に取付ける工程と、前記ゴム座金の内周を前記作動部材に取り付ける工程と、を備えていることを特徴とする請求項１３に記載の方法。
【請求項１６】
摩擦ダンパーを可動電気接触子に取り付ける工程をさらに備えており、前記摩擦ダンパーは可動電気接触子と前記電磁スイッチの側壁との間に配置されることを特徴とする請求項１３に記載の方法。
【発明の詳細な説明】
【背景技術】
【０００１】
電気自動車などの様々な装置には、様々な電力線の開閉を制御する接触子（端子、接点、ｃｏｎｔａｃｔｏｒ）およびリレー（継電器）が必要である。
【発明の概要】
【発明が解決しようとする課題】
【０００２】
特定の状況下で、電気自動車および／または他の電気設備は、可聴雑音を生じる場合がある。
【課題を解決するための手段】
【０００３】
第一の態様において、電磁スイッチは、固定電気接触子（ｓｔａｔｉｏｎａｒｙ  ｅｌｅｃｔｒｉｃａｌ  ｃｏｎｔａｃｔ）と、可動電気接触子（ｍｏｖｅａｂｌｅ  ｅｌｅｃｔｒｉｃａｌ  ｃｏｎｔａｃｔ）と、可動電気接触子が取り付けられ、固定電気接触子に接触する、または離間するように可動電気接触子を駆動する作動部材（ａｃｔｕａｔｅｄ  ｍｅｍｂｅｒ）と、可動電気接触子と作動部材との間の減衰インターフェイスと、を備えている。
【０００４】
実施態様には、以下の特徴のいずれかまたはすべてが含まれ得る。減衰インターフェイスが円筒状である。減衰インターフェイスが環状（ｔｏｒｏｉｄａｌ、ドーナツ状）である。減衰インターフェイスが、作動部材が通る可動電気接触子の開口の内側の周溝に配置されるＯリングを備える。減衰インターフェイスが、作動部材に面するＫ型断面形状（ｐｒｏｆｉｌｅ）を有する。減衰インターフェイスが、作動部材に面する山型形状（ｃｈｅｖｒｏｎ−ｓｈａｐｅ、逆Ｖ形）を有する。減衰インターフェイスが、湾曲した振動板（湾曲したダイアフラム、ｆｌｅｘｔｕｒｅ  ｄｉａｐｈｒａｇｍ）を備える。湾曲した振動板はゴム座金（ゴムワッシャー、ｒｕｂｂｅｒ  ｗａｓｈｅｒ）を備え、ゴム座金の外周が、作動部材が通る可動電気接触子の開口の内側の可動電気接触子に取り付けられ、ゴム座金の内周が作動部材に取り付けられる。電磁スイッチが、可動電気接触子に取り付けられる摩擦ダンパーをさらに含み、摩擦ダンパーは可動電気接触子と電磁スイッチの側壁との間に位置づけられる。摩擦ダンパーが、可動電気接触子が座する金属部材によって位置づけられる。摩擦ダンパーが、可動電気接触子に対してバイアスをかける第１部材と、側壁に対してバイアスをかける第２部材と、を備える。第１部材と第２部材とは本質的に平行（ｐａｒａｌｌｅｌ、並列）であり、可動電気接触子が駆動される方向に方向付けられる。第１部材が可動電気接触子に取り付けられ、第２部材が第１部材から側壁に向かって延びる。第１部材および第２部材は、可動電気接触子が駆動される方向に対して本質的に逆平行（ａｎｔｉｐａｒａｌｌｅｌ、平行でなく）かつ垂直である。摩擦ダンパーの一端が可動電気接触子に取り付けられ、他端が側壁に対してバイアスをかける（ｂｉａｓ）。
【０００５】
第二の態様において、方法は、固定電気接触子を電磁スイッチに設ける工程と、固定電気接触子に接触するか若しくは離間するように可動電気接触子を駆動するために、可動電気接触子を作動部材に取り付ける工程と、可動電気接触子と作動部材との間に減衰インターフェイスを設ける工程と、を含む。
【０００６】
実施態様には、以下の特徴のいずれか、またはすべてが含まれ得る。本方法は、作動部材が通る可動電気接触子の開口の内側に周溝を設けることをさらに含み、減衰インターフェイスが周溝に配置されるＯリングを備える。減衰インターフェイスがゴム座金を備え、方法は、ゴム座金の外周を、作動部材が通る可動電気接触子の開口の内側の可動電気接触子に取付けることと、ゴム座金の内周を作動部材に取り付けることとをさらに含む。本方法は、摩擦ダンパーを可動電気接触子に取り付けることをさらに含み、摩擦ダンパーは可動電気接触子と電磁スイッチの側壁との間に配置される。
【図面の簡単な説明】
【０００７】
【図１】図１は、電磁スイッチの立面図を示す。
【図２】図２は、シャフト用の開口内に環状ダンパーを有する可動接触子の例を示す。
【図３】図３は、シャフト用の開口内にＯリングを有する可動接触子の例を示す。
【図４】図４は、シャフト用の開口内に取り付けられる円筒部材の例を示す。
【図５】図５は、シャフト用の開口内に取り付けられる山型部材の例を示す。
【図６】図６は、シャフト用の開口内に取り付けられるＫ型部材の例を示す。
【図７】図７は、シャフト用の開口内に取り付けられる湾曲ワッシャの例を示す。
【図８】図８は、外部の衝撃によって生じる電磁スイッチの振動の例を示す。
【図９】図９は、図８の一部分の拡大図を示す。
【図１０】図１０は、シャフトと可動接触子との間に減衰インターフェイスを有する電磁スイッチの外部の衝撃の例を示す。
【図１１】図１１は、図１０のグラフの一部分の拡大図を示す。
【図１２】図１２は、摩擦ダンパーを有する図２の可動接触子の例を示す。
【図１３】図１３は、図１２の摩擦ダンパーを示す。
【図１４】図１４は、摩擦ダンパーの他の例を示す。
【図１５】図１５は、摩擦ダンパーの他の例を示す。
【図１６】図１６は、摩擦ダンパーの他の例を示す。
【発明を実施するための形態】
【０００８】
本文献には、電磁スイッチに対して望ましくない振動の影響を減少させるか排除する減衰の例を記載する。それらの振動の影響は機械的共振によって助長される。スイッチにおいては、可動接触子が、この可動接触子が取り付けられるシャフトに対して、および、閉位置において可動接触子が押しつけられる固定電気接触子に対して動く、ある程度の自由度を有する。このシャフト−接触子間の接続は、１つまたは複数の方法で減衰されて、作動時にスイッチによって生じるノイズの問題に対処することができる。減衰を閾値より上に増大させることで、可動接触子によって生じる望ましくない振動の影響を排除することができる。そのような閾値は、振動の各サイクル中にダンパーによって吸収されるエネルギーが、可動接触子の動きと連動して作用する直流電流（ＤＣ）の流れによって生じる力により加えられるエネルギーよりも大であるポイントである。直流を例として言及するが、振動は、十分に大きいどのような電流でも（すなわち、交流（ＡＣ）でも）発生し得ると考えられる。すなわち、接触子の動きと連動する電流の流れにより、その電流が振動を生じる要素を有するかどうかに関わらず、望ましくない動きにエネルギーが加えられる。
【０００９】
図１は、電磁スイッチ１００の立面図（Ｅｌｅｖａｔｅｄ  ｖｉｅｗ）を示す。いくつかの実施態様では、スイッチは、電気的な動力伝達装置（ｄｒｉｖｅｔｒａｉｎ）のパワーエレクトロニクス（ｐｏｗｅｒ  ｅｌｅｃｔｒｏｎｉｃｓ）の一部である。たとえば、電気自動車は、車両のサブシステム（下位システム）間の電気接続を制御するために使用される電磁スイッチを有する場合がある。本例では、ただ１つの電磁スイッチを示し、明確にするために、そのいくつかの構成要素は示していない。それでも、ここで明確に言及していない特徴または態様に関して、電磁スイッチは、従来のスイッチと同様にまたは等しく作動することができる。
【００１０】
電磁スイッチ１００は、固定接触子１０４Ａ、１０４Ｂと接触するように、および離間するように移動するように構成されている可動接触子１０２を有する。たとえば、固定接触子はそれぞれ、電気回路の正（＋）と負（−）の端子とみなすことができる。閉位置では、可動接触子は、固定接触子間に電路を形成する。たとえば、このことにより、一方の固定接触子から他方に電流が流れることが可能になる。
【００１１】
電磁スイッチ１００は、シャフト１０８を駆動する、ソレノイド１０６若しくは任意の他の種類の駆動部材を有する。特にソレノイドは、ソレノイドの内側のシャフト１０８に接続される電機子と相互作用し、それによってシャフトを駆動する。可動接触子１０２は、シャフトに取り付けられる。たとえば、シャフト用の開口が可動接触子に形成されている。この開口は、本例のように、可動接触子の厚み全体を通って延びる穴とすることができる。
【００１２】
シャフトと可動接触子との相対的な動きは、１つまたは複数のバネで促進することができる。いくつかの実施態様では、可動接触子はバネで付勢されている（ｌｏａｄ、荷重をかける）。たとえば、ここでは螺旋バネ１１０が、ソレノイドの外の、可動接触子１０２とソレノイドの頂部との間のシャフト１０８周りに配置される。
【００１３】
減衰インターフェイスが、シャフトと可動接触子との間に設けられる。減衰インターフェイスの例を以下に示す。
【００１４】
図２は、シャフト２０６用の開口２０４内に環状ダンパー２０２（ａｎｎｕｌａｒ  ｄａｍｐｅｒ  ２０２）を有する可動接触子２００の例を示す。この図には、作動時の構成要素が断面で示されており、螺旋バネ１１０が可動接触子を支持することを特徴とする。
【００１５】
ここで、環状ダンパー２０２は、本質的に、径方向外側に延びる縁部（ｌｉｐ）を有する円筒状である。たとえば、縁部は、可動接触子の相対的な動きの結果としての、シャフトに沿う環状ダンパーの動きの発生を減少させることができる。たとえば、環状ダンパーは、縁部がなければ、接触子が繰り返し、固定電気接触子（ここでは、この接触子は、分かりやすさのために示されていない）と接触するように、および離間するように駆動されることから、シャフトにそって下方向にずれる傾向にある場合がある。縁部（複数の場合もある）があってもなくても、環状ダンパーを開口２０４の内側と摩擦により嵌合するように寸法を合わせることができる。
【００１６】
環状ダンパーは、電磁スイッチの振動につながる共振を減衰させるための環状ダンパーの意図される使用に基づいて、適切である任意の材料で製造することができる。たとえば、環状ダンパーは、実質的な減衰を生じさせるために、デュロメーターで低く、しかし、環状ダンパーが関連する力によって変形して正常動作時に位置が変わることがないように、十分高い硬度を有するゴムで形成することができる。
【００１７】
可動接触子は、側壁２０８間に位置する。側壁は、プラスチックまたはセラミック材料を含むが、それに限定されない、適切な絶縁材料で形成することができる。
【００１８】
動作時には、ソレノイドまたは他の手段によって駆動されるシャフト２０６が、可動接触子を固定接触子に対する相対的な動きで駆動する。そのような動きの中で、接触子とシャフトとの間の所定量の遊びを生じさせることができる。たとえば、ストロークの様々な段階で、接触子がシャフトに沿って周りをスライドすることができる。接触子はさらに、またはその代わりに、シャフト周りにいくらかの回転自由度を有する。たとえば、減衰インターフェイスがシャフトに関して回転対称である場合、減衰インターフェイスは、シャフトに対し可動接触子に想定される様々な位置のいくつかまたはすべてにおける振動を、有用に減少または排除させることができる。
【００１９】
図３はシャフト２０６用の開口内にＯリングを有する可動接触子３００の例を示す。Ｏリングは、開口の内側のそれぞれの溝３０４の中に配置される。組立て時には、初めにＯリングを設置することができ、その後に、シャフトを開口およびＯリングを通して挿入することができる。
【００２０】
Ｏリングは、動作中に、可動接触子およびシャフトの振動を減衰させる役割を果たす。Ｏリングは、ゴムを含むが、それに限定されない、任意の適切な材料で形成することができる。ここでは、Ｏリング３０２Ａは中空であるが、Ｏリング３０２Ｂは中実である。他の実施態様では、２つ以上のＯリングを中空としてもよく、かつ／または、２つ以上のＯリングを中実としてもよい。別の例としては、接触子はただ１つのＯリングのみを有してもよく、３つ以上のＯリングを有してもよい。
【００２１】
図４は、シャフト２０６用の開口内に取り付けられる円筒部材４００の例を示す。すなわち、ここでは、望ましくない振動を減少させるか除去する方法として、可動接触子２００に円筒部材が設けられる。この例および後のいくつかの例では、分かりやすさのために、回転対称である封止材（ｓｅａｌ、たとえば、部材４００）の半分を示す。
【００２２】
円筒部材は、接触子の開口の内側と、摩擦により嵌合（ｆｉｔ）し、所定の位置にとどまる。いくつかの実施態様では、部材４００は、溝３０４（図３）と類似の、接触子の窪みに配置することができる。いくつかの実施態様では、円筒部材は、開口の内向きの面上に共に成形することができる。たとえば、取付け面には、減衰部材の材料のよりよい取付けを提供するように、刻みをつける（ｋｎｕｒｌ）か、リブをつけるか、別様に形状をつけることができる。いくつかの実施態様では、回転減衰部材（たとえば、この例では部材４００）を代替的に、または追加で、接着剤などの別の方法で取り付けることができる。
【００２３】
図５は、シャフト２０６用の開口内に取り付けられる山型部材５００の例を示す。部材５００は、可動接触子に形成される窪み５０２内に配置される。
【００２４】
図６は、シャフト２０６用の開口内に取り付けられるＫ型部材６００の例を示す。ここでは、部材６００は、その周縁全体または一部の周縁に延びる縁部６０２を有する。縁部は可動接触子内の窪み６０４に嵌合する。
【００２５】
図７は、シャフト２０６用の開口内に取り付けられる湾曲ワッシャ７００の例を示す。湾曲ワッシャは、ゴムを含むが、それに限定されない、振動を実質的に減衰させる任意の適切な材料から形成することができる。たとえば、接着剤７０２などにより、湾曲ワッシャをその外縁で可動接触子２００に取り付けることができ、その内縁でシャフトに取り付けることができる。いくつかの実施態様では、ワッシャの縁の一方または両方を接触子またはシャフトに対してそれぞれ、摩擦により嵌合させることができる。
【００２６】
作動時には、湾曲ワッシャは、可動接触子とシャフトとの間の遊びの結果として、湾曲する場合がある。ここでは、可動接触子は下方位置で示され、対応する上方位置が想像線で示される。他の実施態様では、湾曲量をこの例とは異なるものとすることができる。
【００２７】
いくつかの実施態様により、電磁スイッチ内で生じる振動の量を実質的に減少させることができる。たとえば、本発明者らは、高電流下での電磁リレー内の望ましくないノイズが、作動時の可動接触子内での電流で駆動する振動によって引き起こされることの説明を提示してきた。したがって、いくつかの試験が行われてきた。この試験で使用される電磁スイッチは、試験状況下で、実質的な可聴雑音の発生を示すものとして知られているものとした。以下は、試験の結果である。
【００２８】
図８は、電磁スイッチの外部ケースの機械的な衝撃によって生じる電磁スイッチ内の振動（ｏｓｃｉｌｌａｔｉｏｎ）の例を示す。このグラフは、垂直軸に時間の関数としての電圧を示す。この試験での電圧は、スイッチの固定接触子の両側で測定した。測定された電圧の変化が、可動接触子内に振動が生じているかどうかを示している。すなわち、接触子が振動している場合、振動が発生していない場合に比べ、接触子を通しての抵抗が変化する。電圧を測定することで、もし存在するなら抵抗の変化を知覚し、その結果、接触子が振動しているかどうかを判断することができる。
【００２９】
このグラフで示される試験は、変更されていないリレーであり、すなわち、減衰インターフェイスなしで行った。リレーは、試験の継続中に電力が供給され、閉じられる。初めに、リレーの高電力端子を含んだ回路用の電源をオフ（ｏｆｆ）とした。グラフは、０秒で始まる電圧０を示す。約６秒において、電源をオン（ｏｎ）にし、スイッチが電流を導電し始めた。電圧は最初に０から約−０．２５Ｖに下がり、その後に第１のポイント８００において比較的一定のレベルに落ち着いた。すなわち、この瞬間以降、電圧が比較的安定したことから、実質的な振動が発生していないことが分かる。
【００３０】
しかし、グラフ内の約１３秒の、ポイント８０２で、金属ツールを用いてリレーの外部ケースを叩くことで、電磁スイッチを意図的に乱した。これにより、リレーを聞き取れるように振動させ、速く振動する電圧を測定した。最初に約−０．３Ｖに下がり、その後に、同じようにいくらか高い負の電圧となる。このことは、チャート内のパターン８０４によって反映される。このパターンは、可動接触子内の抵抗が、本質的に、振動する値の帯域内で急速に変動することを示す。このことは、電磁スイッチ内の振動を反映する。グラフ内の約２１秒において、電源をオフとし、したがって、振動が終わった。
【００３１】
図９は、図８の一部分の拡大図を示す。外部ケースが叩かれたポイント８０２がマークされており、グラフは、その結果として生じている、ある期間にわたる電圧の振動を示している。すなわち、それらの電圧の変動は、可動接触子内で進行中の振動を反映する。
【００３２】
この場合、この試験は、問題の共振が可動バー（ｍｏｖｅａｂｌｅ  ｂａｒ）と各固定接触子との間の２つの接触子を通る線の周りの角運動であったことを示す。そのように、共振作用を示すこの動きを引き起こす復元力は、平静位置（ｒｅｓｔ  ｐｏｓｉｔｉｏｎ）へのバーの角度変異と、接触する電極の面の輪郭形状（ｐｒｏｆｉｌｅ）によるバネの圧縮の結果である。
【００３３】
次に、減衰部材は、原則として、上述の実施態様の１つまたはその組合せに類似して形成された。減衰部材が加えられ、リレーが再び組み立てられた後に、衝撃の減衰を評価するために、試験を繰り返した。
【００３４】
図１０は、シャフトと可動接触子との間に減衰インターフェイスを有する電磁スイッチの外部の衝撃の例を示す。ここでは、グラフ内の約７秒において電源をオンにし、そして最初の電圧ディップ（電圧低下）の後に、電圧がポイント１０００で安定する。
【００３５】
グラフ内の約１３秒の、ポイント１００２において、ハウジングを金属ツールで叩いた。その衝撃により、図８のポイント８０２で生じたのとほとんど同じように、瞬間的に電圧が低下するが、ここでは、電圧は比較的安定したレベルにすぐに安定する。すなわち、本グラフは、減衰されていない接触子がパターン８０４で示した（図８）電圧の実質的な振動を示していない。
【００３６】
金属ツールを使用してハウジングにさらにいくつかの衝撃１００４を生じさせたところ、各時点で、電圧の挙動は、ポイント１００２における最初の衝撃における挙動と実質的に一致した。すなわち、システムが繰り返し乱されたに関わらず、電磁スイッチは、前の図で示したような実質的な振動の状態には入らず、可聴振動は検出されなかった。この試験により、振動を促していた共振が減衰したことが示された。
【００３７】
この試験で観測された減衰作用は、非常に短い期間の電圧の測定でも明らかである。図１１は、図１０のグラフの一部分の拡大図を示す。ハウジングが最初に叩かれたポイント１００２が示され、接触子がいくらかの電圧の最初の変動を示す。しかし、その後すぐに、減衰されたシステムにより、振動する電圧は−０．１Ｖをわずかに下回る比較的安定した値になる。
【００３８】
上述の例では、電磁スイッチの振動が、可動接触子と駆動シャフトとの間の減衰インターフェイスによって除去された。このことにより、システムの共振反応が減少し、それによって、振動が抑えられた。振動は、１つまたは複数の他の方法で減少させるか、避けることができる。いくつかのシステムでは、本明細書に記載の減衰インターフェイスを、振動を無効にするそのような他の方法の１つまたは複数と関連付けて使用することができる。他のシステムでは、特定の減衰インターフェイス無しで、他の振動の対策（複数の場合もある）を使用することができる。
【００３９】
図１２は、摩擦ダンパー１２００を有する、図２の可動接触子２００の例を示す。摩擦ダンパーは、可動接触子と側壁２０８とに対してそれぞれバイアスをかける、部材１２０２および１２０４を含む。部材１２０２−０４は、可動接触子が着座する部材１２０６から延びる。接触子２００が相対的な動きで後方および前方に移動すると、摩擦ダンパーは、部材（複数の場合もある）１２０２と側壁（複数の場合もある）との間にある摩擦によって振動を減少させる、または除去する役割を果たすことができる。
【００４０】
図１３は、図１２の摩擦ダンパー１２００を示す。この例では、摩擦ダンパーは、例えば鋼といった金属の比較的薄い細片から形成される。可動接触子は分かりやすさのために示していない。部材１２０２、１２０４は、ここでは、部材１２０６から基本的に上方に延びる羽根状部材（ｂｌａｄｅ）であり、部材１２０６は、基本的に平滑であり、シャフト（図示せず）が通ることができる開口１３００を有する。部材１２０２、１２０４は、それぞれ可動接触子または側壁に面する側部に１つまたは複数の突起１３０２を有してもよい。
【００４１】
たとえば、摩擦ダンパーは、部材１２０６よりもいくらか幅広の細片から製造することができ、部材１２０２、１２０４のみが部材１２０６に取り付けられたままになるように、側部の形を整えることができる。その後、部材１２０２、１２０４を図示の位置に、随意選択的には、たとえば図示の輪郭を有して、曲げることができる。すなわち、部材１２０２は、可動接触子の全体的方向、すなわち、金属板にわたって内側に曲げることができる。同様に、部材１２０４を側壁に向けて、すなわち、金属板から外側に曲げることができる。別の例としては、部材１２０２、１２０４は、１つまたは複数の別々の部品として形成することができ、そして部材１２０６に取り付けられる。
【００４２】
図１４〜１６は、摩擦ダンパーの他の例を示す。図１４では、摩擦ダンパー１４００は、側壁に対してバイアスをかける部材１４０２と、可動接触子（図示せず）に対してバイアスをかける部材１４０４と、各部材がそこから延びる部材１４０６とを有する。摩擦ダンパーは、上述と同様の方法で製造することができる。
【００４３】
図１５では、摩擦ダンパー１５００が可動接触子２００に取り付けられている。摩擦ダンパーは、側壁に対しバイアスをかける部材１５０２と、可動接触子に対してバイアスをかける部材１５０４とを有する。摩擦ダンパーは、適切な形状（たとえば、Ｖ状）に曲げられ、そして接触子に取り付けられる、単一の金属の細片から製造することができる。スポット溶接を含むが、それに限定されない、任意の適切な取付け技術を使用することができる。
【００４４】
図１６では、摩擦ダンパー１６００が可動接触子２００に取り付けられている。摩擦ダンパーは、側壁に対してバイアスをかける１つまたは複数の部分１６０２と、可動接触子に対してバイアスをかける部分１６０４とを有する部材を含む。摩擦ダンパーは、適切な形状（たとえば、図示の形状）に曲げられ、そして接触子に取り付けられる、単一の金属の細片から製造することができる。スポット溶接を含むが、それに限定されない、任意の適切な取付け技術を使用することができる。
【００４５】
例として、複数の実施態様を記載してきた。それでもなお、添付の特許請求の範囲により、他の実施態様が包含される。
【図１】
0006445538.tif 000002
【図２】
0006445538.tif 000003
【図３】
0006445538.tif 000004
【図４】
0006445538.tif 000005
【図５】
0006445538.tif 000006
【図６】
0006445538.tif 000007
【図７】
0006445538.tif 000008
【図８】
0006445538.tif 000009
【図９】
0006445538.tif 000010
【図１０】
0006445538.tif 000011
【図１１】
0006445538.tif 000012
【図１２】
0006445538.tif 000013
【図１３】
0006445538.tif 000014
【図１４】
0006445538.tif 000015
【図１５】
0006445538.tif 000016
【図１６】
0006445538.tif 000017